(57)【特許請求の範囲】
【請求項１】
弾性を有する吸湿部材と、この吸湿部材が載置される皿と、この皿に対して近接・離脱可能に設けられたピンと、前記皿へ供給する洗浄液が溜められた中間タンクと、この中間タンクの底面と前記皿の底面との間を連結した第１のパイプと、前記中間タンクの上方側面とこの中間タンクより下方に設けられた洗浄液の貯蔵タンクの上方とを連結する第２のパイプと、前記貯蔵タンクの下方から前記中間タンクの上方へポンプを介して連結された第３のパイプとを有し、前記皿の底面と前記中間タンクの第２のパイプの連結位置との高さを等しくしたクリーム半田塗布機のピン洗浄装置。
【請求項２】
中間タンクの取り付け高さを調節できるようにした請求項１に記載のクリーム半田塗布機のピン洗浄装置。
【請求項３】
皿の取り付け高さを調整できるようにした請求項１に記載のクリーム半田塗布機のピン洗浄装置。
【請求項４】
皿の底の中心から第１のパイプを導出するとともにこの皿を回転可能に設けた請求項１に記載のクリーム半田塗布機のピン洗浄装置。
【請求項５】
ピンが吸湿部材に挿入される度に皿が予め定められた角度回転する請求項４に記載のクリーム半田塗布機のピン洗浄装置。
【請求項６】
吸湿部材にスポンジを用いた請求項４に記載のクリーム半田塗布機のピン洗浄装置。
【請求項７】
スポンジ上面に布を装着した請求項６に記載のクリーム半田塗布機のピン洗浄装置。
【請求項８】
予め定められた時間間隔で貯蔵タンク内の洗浄液をポンプで中間タンクへ供給する請求項１に記載のクリーム半田塗布機のピン洗浄装置。
【請求項９】
貯蔵タンク内の洗浄液を常にポンプで中間タンクへ供給する請求項１に記載のクリーム半田塗布機のピン洗浄装置。
【発明の詳細な説明】
【０００１】
【発明の属する技術分野】
本発明は、クリーム半田をプリント基板に塗布するクリーム半田塗布機に使用するクリーム半田塗布機のピン洗浄装置に関するものである。
【０００２】
【従来の技術】
以下、従来のクリーム半田塗布機のピン洗浄装置について説明する。従来のクリーム半田塗布機のピン洗浄装置は、図４（ａ）に示すように、洗浄液を含んだスポンジ１が載置された皿２へ、ピン３が装着された基台４をＡ方向に降下する。そうすると、ピン３の先端３ａに洗浄液が付着する。この状態で図４（ｂ）に示すように、孔６内にクリーム半田７が充填されたプレート５上を、ピン３が移動し、図４（ｃ）に示すようにＡ方向に降下すると、孔６に充填された半田７がプリント基板８に付着する。そして図４（ｄ）に示すように、ピン３をＢ方向に上昇させることにより、半田７と切り離す。この場合，スポンジ１に含ませる洗浄液は、適時、操作者が補給していた。
【０００３】
【発明が解決しようとする課題】
しかしながらこのような従来の構成では、常に洗浄液をスポンジ１に補給しなければならない。もし、洗浄液が不足するとピン３の先３ａに半田が残り、半田をピン３から切り離す事ができない。逆に多すぎると、クリーム半田７に多量の洗浄液が含まれることになり、その結果として、半田がダレて隣のパターンとショートし、半田不良が発生することも考えられた。
【０００４】
そこで本発明は、この問題を解決するもので、常に適量の洗浄液を皿に供給して、品質の良い半田付けをするクリーム半田塗布機のピン洗浄装置を提供することを目的としたものである。
【０００５】
【課題を解決するための手段】
この目的を達成するために本発明のクリーム半田塗布機のピン洗浄装置は、弾性を有する吸湿部材と、この吸湿部材が載置される皿と、この皿に対して近接・離脱可能に設けられたピンと、前記皿へ供給する洗浄液が溜められた中間タンクと、この中間タンクの底面と前記皿の底面との間を連結した第１のパイプと、前記中間タンクの上方側面とこの中間タンクより下方に設けられた洗浄液の貯蔵タンクの上方とを連結する第２のパイプと、前記貯蔵タンクの下方から前記中間タンクの上方へポンプを介して連結された第３のパイプとを有し、前記皿の底面と前記中間タンクの第２のパイプの連結位置との高さを等しくしたものである。
【０００６】
これにより、常に適量の洗浄液を吸湿部材に供給する事ができ、品質の良い半田付けを提供することができる。
【０００７】
【発明の実施の形態】
本発明の請求項１に記載の発明は、弾性を有する吸湿部材と、この吸湿部材が載置される皿と、この皿に対して近接・離脱可能に設けられたピンと、前記皿へ供給する洗浄液が溜められた中間タンクと、この中間タンクの底面と前記皿の底面との間を連結した第１のパイプと、前記中間タンクの上方側面とこの中間タンクより下方に設けられた洗浄液の貯蔵タンクの上方とを連結する第２のパイプと、前記貯蔵タンクの下方から前記中間タンクの上方へポンプを介して連結された第３のパイプとを有し、前記皿の底面と前記中間タンクの第２のパイプの連結位置との高さを等しくしたクリーム半田塗布機のピン洗浄装置であり、このように吸湿部材には、常に一定量の洗浄液が供給されているので、ピンの先に付着する洗浄液の量が一定になり、品質の良い半田付けができる。
【０００８】
請求項２に記載の発明は、中間タンクの取り付け高さを調節できるようにした請求項１に記載のクリーム半田塗布機のピン洗浄装置であり、このように中間タンクの取り付け位置を、調整することができるようになっているので、皿に供給される洗浄液の量を調節することができる。
【０００９】
請求項３に記載の発明は、皿の取り付け高さを調整できるようにした請求項１に記載のクリーム半田塗布機のピン洗浄装置であり、このように皿の取り付け高さを調整できるので、皿に供給される洗浄液の量を調節することができる。
【００１０】
請求項４に記載の発明は、皿の底の中心から第１のパイプを導出するとともにこの皿を回転可能にした請求項１に記載のクリーム半田塗布機のピン洗浄装置であり、このように皿を回転するようにしているので、常に吸湿部材の新しいところを使うことができる。
【００１１】
請求項５に記載の発明は、ピンが吸湿部材に挿入される度に皿が、予め定められた角度回転する請求項４に記載のクリーム半田塗布機のピン洗浄装置であり、このように予め定められた角度を回転するので、常に吸湿部材の新しいところを一定の間隔で順次使うことができる。
【００１２】
請求項６に記載の発明は、吸湿部材にスポンジを用いた請求項４に記載のクリーム半田塗布機のピン洗浄装置であり、このように吸湿部材としてスポンジを用いることにより、スポンジの弾性作用と吸湿作用を利用してピンを確実に清掃することができる。
【００１３】
請求項７に記載の発明は、スポンジ上面に布を装着した請求項６に記載のクリーム半田塗布機のピン洗浄装置であり、このようにスポンジの上に布を装着しているので、布からスポンジへクリーム半田が浸透して溜まり、布は常に清掃された状態になっている。
【００１４】
請求項８に記載の発明は、予め定められた時間間隔で貯蔵タンク内の洗浄液をポンプで中間タンクへ供給する請求項１に記載のクリーム半田塗布機のピン洗浄装置であり、このように予め定められた時間間隔で供給しているので、ポンプをオフしている時間が省エネになる。
【００１５】
請求項９に記載の発明は、貯蔵タンク内の洗浄液を常にポンプで中間タンクへ供給する請求項１に記載のクリーム半田塗布機のピン洗浄装置としたものであり、このように常に中間タンクへ洗浄液を供給しているので、皿内には常に一定量の洗浄液が供給されることになる。
【００１６】
以下、本発明の実施の形態について、図面を用いて説明する。図１は本発明の一実施の形態におけるクリーム半田塗布機のピン洗浄装置を示している。図１に於いて、２は円形の皿であり、この皿２にはスポンジ１が載置されている。そしてスポンジ１の上面には布１７が設けられている。３は基台４に取り付けられたピンである。９は中間タンクであり、この中間タンク９の底面と皿２の底面とは、第１のパイプ１０で連結されている。また、中間タンク９の液面９ａと皿２の底面２ａの高さレベルを等しくする事により、洗浄液１６（本実施の形態ではアルコールを用いている。）を中間タンク９から皿２へ自動で供給している。このパイプ１０は皿２の中心点に設けられており、皿２はベアリング１１によって回転可能になっている。また皿２および中間タンク９はネジで上下方向が調整可能になっている。１２は洗浄液１６の貯蔵タンクであり、この貯蔵タンク１２の下方からポンプ１３で、洗浄液１６をパイプ１４で中間タンク９に供給している。尚、中間タンク９内で溢れた洗浄液１６は、パイプ１５を通して貯蔵タンク１２へ戻している。このようにして常に洗浄液１６を皿２に載置されたスポンジ１に含ませるようになっている。
【００１７】
次に図２を用いてクリーム半田塗布機の要部を説明する。図２（ａ）は平面図である。図２（ａ）に於いて、２は皿であり、この皿２はＣ方向に回転可能になっている。また基台４にはピン３が設けられている。図２（ｂ）はその断面図である。図２（ｂ）に於いて、基台４には複数のピン３が植設されている。この基台４がＡ方向に降下、Ｂ方向に上昇する事により、スポンジ１に含まれた洗浄液１６を、ピン先３ａに付着させるようになっている。また、この皿２の中心に設けられたパイプ１０から、洗浄液１６が供給されるようになっている。
【００１８】
次に図３を用いて、クリーム半田塗布機について説明する。まず、皿２の中心に設けられたパイプ１０から供給された洗浄液１６をピン先３ａに付着させて、そのピン３を、図３（ｂ）に示すようにプレート５上へ持っていく。プレート５に設けられた孔６に充填された半田７は、ピン３をＡ方向に下降させることにより、図３（ｃ）に示すようにプリント基板８に付着させる。そして図３（ｄ）に示すように、半田７をプリント基板８に付着させた後，ピン３をＢ方向へ上昇させて、プリント基板８に半田７の塗布が終了する。この場合、ピン３の先３ａには常に適量の洗浄液１６が付着されているので、プリント基板８に塗布された半田７は、半田切れが良いとともに、半田７がダレることもない。
【００１９】
【発明の効果】
以上のように本発明によれば、中間タンクの底面と前記皿の底面との間を連結した第１のパイプと、前記中間タンクの上方側面とこの中間タンクより下方に設けられた洗浄液の貯蔵タンクの上方とを連結する第２のパイプと、前記貯蔵タンクの下方から前記中間タンクの上方へポンプを介して連結された第３のパイプとを設け、前記皿の底面と前記中間タンクの第２のパイプの連結位置との高さを等しくすることで、常に適量の洗浄液を皿に載置された吸湿部材に供給でき、ピン先には適量の洗浄液が付着し、品質の良い半田付けができる。
【図面の簡単な説明】
【図１】  本発明の一実施の形態によるクリーム半田塗布機のピン洗浄装置の構成図
【図２】  （ａ）は同、クリーム半田塗布機のピン洗浄装置の要部平面図
（ｂ）は同、クリーム半田塗布機のピン洗浄装置の要部断面図
【図３】  （ａ）は本発明のピン洗浄装置を用いたクリーム半田塗布機の第１工程の断面図
（ｂ）は本発明のピン洗浄装置を用いたクリーム半田塗布機の第２工程の断面図
（ｃ）は本発明のピン洗浄装置を用いたクリーム半田塗布機の第３工程の断面図
（ｄ）は本発明のピン洗浄装置を用いたクリーム半田塗布機の第４工程の断面図
【図４】  （ａ）は従来のピン洗浄装置の第１工程の断面図
（ｂ）は従来のピン洗浄装置の第２工程の断面図
（ｃ）は従来のピン洗浄装置の第３工程の断面図
（ｄ）は従来のピン洗浄装置の第４工程の断面図
【符号の説明】
１  スポンジ
２  皿
３  ピン
１６  洗浄液
【図１】
0003777826.tif 000002
【図２】
0003777826.tif 000003
【図３】
0003777826.tif 000004
【図４】
0003777826.tif 000005